(57)【要約】【課題】ネットワークを介してライトストラテジ情報を更新し、最適なライトストラテジ情報でデータを光ディスクに記録する記録システム及び光ディスク装置を提供する。【解決手段】制御部２１は、記憶部２９に記憶されているライトストラテジ情報１２９Ｂより新しいバージョンの新ライトストラテジ情報があるかどうか、サーバ装置４に問い合わせる。新しいバージョンのライトストラテジ情報がある場合、制御部２１は、新ライトストラテジ情報４２Ａを記憶部２９の記憶領域２９Ｂにダウンロードする。そして、ダウンロード完了後、制御部２１は、新ライトストラテジ情報４２Ａに基づいて、ライトストラテジ情報１２９Ｂを最新の情報に更新する。更新後、ＤＶＤレコーダ２は、更新されたライトストラテジ情報に基づいて光ディスク１００にピックアップヘッド２からレーザ光を照射し、データを該光ディスク１００に記録する。【選択図】  図６
2009223988.tif 000002
【特許請求の範囲】
【請求項１】
光ディスクの種類に応じた、データ記録時のレーザ光の照射条件を示すライトストラテジ情報を記憶する第１の記憶手段と、そのライトストラテジ情報に従って該光ディスクにピックアップヘッドからレーザ光を照射し、データを該光ディスクに記録する記録手段と、を有する光ディスク装置と、
ネットワークを介して前記光ディスク装置に接続されるサーバ装置と、を備えた記録システムにおいて、
前記光ディスク装置は、前記第１の記憶手段に記憶されている前記ライトストラテジ情報より新しいバージョンの新ライトストラテジ情報があるかどうか、前記ネットワークを介して前記サーバ装置に問い合わせる通信手段を有し、
前記サーバ装置は、
前記ライトストラテジ情報の最新バージョンを記憶する第２の記憶手段と、
前記問い合わせがあると、前記新ライトストラテジ情報があるかどうか前記第２の記憶手段を確認し、前記新ライトストラテジ情報がある場合に前記新ライトストラテジ情報を前記ネットワークを介して前記光ディスク装置に返信する返信手段と、を有し、
前記光ディスク装置は、前記返信手段から返信される前記新ライトストラテジ情報に基づいて、前記第１の記憶手段に記憶されている前記ライトストラテジ情報を最新の情報に更新する更新手段を有する記録システム。
【請求項２】
前記更新手段は、前記記録手段がデータを前記光ディスクに記録する間、前記第１の記憶手段に記憶されている前記ライトストラテジ情報の更新を禁止する請求項１に記載の記録システム。
【請求項３】
前記第１の記憶手段は、前記ライトストラテジ情報を保存するための第１の記憶領域と、前記返信手段から返信される前記新ライトストラテジ情報を保存するための第２の記憶領域と、を有し、
前記更新手段は、前記返信手段から返信された前記新ライトストラテジ情報を前記第２の記憶領域に保存し、前記第２の記憶領域に保存した前記新ライトストラテジ情報に基づいて、前記第１の記憶領域に記憶されている前記ライトストラテジ情報を最新の情報に更新する請求項１又は２に記載の記録システム。
【請求項４】
光ディスクの種類に応じた、データ記録時のレーザ光の照射条件を示すライトストラテジ情報を記憶する第１の記憶手段と、
そのライトストラテジ情報に従って該光ディスクにピックアップヘッドからレーザ光を照射し、データを該光ディスクに記録する記録手段と、を有する光ディスク装置において、
前記第１の記憶手段に記憶されている前記ライトストラテジ情報より新しいバージョンの新ライトストラテジ情報があるかどうか、ライトストラテジ情報の最新バージョンを記憶するサーバ装置にネットワークを介して問い合わせる通信手段と、
前記サーバ装置から前記新ライトストラテジ情報が返信されると、前記新ライトストラテジ情報に基づいて、前記第１の記憶手段に記憶されている前記ライトストラテジ情報を最新の情報に更新する更新手段と、を有する光ディスク装置。
【請求項５】
前記光ディスクは、ＤＶＤ又はブルーレイディスクである請求項１から４のいずれかに記載の記録システム。
【発明の詳細な説明】
【技術分野】
【０００１】
本発明は、ライトストラテジ情報に従って該光ディスクにピックアップヘッドからレーザ光を照射し、データを該光ディスクに記録する記録システムと、このシステムで適用される光ディスク装置に関するものである。
【背景技術】
【０００２】
ＤＶＤ−ＲやＤＶＤ−ＲＷなどの光ディスクでは、物理的な特性や光学的な特性の標準規格が定められており、現在市販されている光ディスクは、その物理的な特性や光学的な特性が標準規格を満足するように製造されている。ところが、光ディスクの製造メーカや光ディスクの種類毎に、製造方法や材質等に僅かに違いが生じてくるため、最適なライトストラテジのパラメータが変わってくる。そこで、光ディスク装置の製造メーカは、各製造メーカや光ディスクの種類毎に最適なライトストラテジのパラメータを様々な実験で求め、この最適なライトストラテジのパラメータを光ディスク装置内臓のメモリに予め記憶させている。
【０００３】
ここで、ライトストラテジについて詳述する。光ディスクでは、データはＥＦＭ（8to 14 Modulation）されて記録される。ＥＦＭは、８ビットのデータを１４ビットに変換するものであり、ＥＦＭ信号は、「３Ｔ」から「１１Ｔ」までの物理的な長さのスペースから成り立っている。したがって、ＥＦＭで変調されたデータを記録する場合には、エッジ部分を正確に記録することが重要である。
このようなＥＦＭ信号を光ディスクに記録する場合、単純にＥＦＭ信号でレーザビームをオン／オフさせてデータをディスクに記録すると、レーザビームをオンした直後では、昇温が不十分なため、ピットが形成されず、また、レーザビームをオフさせた直後では、十分に冷却されていないため、ピットが続いて形成されてしまい、ピットのエッジが正確に記録されない。
【０００４】
そこで、レーザビームを駆動する際に、ＥＦＭ信号の立ち上がりで、パルスを大きくして十分に昇温し、ＥＦＭ信号の立ち下がりの前に、レーザビームを止めて、ピットが続いてしまうことがないようにしている。これにより、適正にピットが形成される。このように、データの書き込み時や書き換え時のレーザビームの制御が、ライトストラテジと呼ばれている。
なお、特許文献１において光ディスク装置が提案されている。
【特許文献１】特開２００３−３６６５０公報
【発明の開示】
【発明が解決しようとする課題】
【０００５】
しかしながら、光ディスク装置が販売された後にも、新たな種類の光ディスクは販売される。このように、光ディスク装置の販売後に登場した光ディスクについては、最適なライトストラテジのパラメータが光ディスク装置のメモリに用意されていない。この場合、従来の光ディスク装置では、例えばメーカが同じ光ディスクのライトストラテジのパラメータを使用して、データを光ディスクに記録するなどしていた。当然に、このライトストラテジのパラメータは、その新たな種類の光ディスク専用のライトストラテジのパラメータでないため、記録ミスが発生してしまう。
そこで、新たな光ディスクが登場したら、その新たな光ディスクに最適なライトストラテジのパラメータを用意し、この新たな光ディスクに最適なライトストラテジのパラメータが含まれるように、ライトストラテジを更新することが望まれていた。
【０００６】
本発明はこのような従来の課題を解決しようとするものであり、ネットワークを介してライトストラテジ情報を更新し、最適なライトストラテジ情報でデータを光ディスクに記録する記録システム及び光ディスク装置を提供することを目的とする。
【課題を解決するための手段】
【０００７】
本発明の記録システムは、前記課題を解決するために以下の構成を備えている。
【０００８】
（１）光ディスクの種類に応じた、データ記録時のレーザ光の照射条件を示すライトストラテジ情報を記憶する第１の記憶手段と、そのライトストラテジ情報に従って該光ディスクにピックアップヘッドからレーザ光を照射し、データを該光ディスクに記録する記録手段と、を有する光ディスク装置と、
ネットワークを介して前記光ディスク装置に接続されるサーバ装置と、を備えた記録システムにおいて、
前記光ディスク装置は、前記第１の記憶手段に記憶されている前記ライトストラテジ情報より新しいバージョンの新ライトストラテジ情報があるかどうか、前記ネットワークを介して前記サーバ装置に問い合わせる通信手段を有し、
前記サーバ装置は、
前記ライトストラテジ情報の最新バージョンを記憶する第２の記憶手段と、
前記問い合わせがあると、前記新ライトストラテジ情報があるかどうか前記第２の記憶手段を確認し、前記新ライトストラテジ情報がある場合に前記新ライトストラテジ情報を前記ネットワークを介して前記光ディスク装置に返信する返信手段と、を有し、
前記光ディスク装置は、前記返信手段から返信される前記新ライトストラテジ情報に基づいて、前記第１の記憶手段に記憶されている前記ライトストラテジ情報を最新の情報に更新する更新手段を有する。
【０００９】
この構成において、光ディスクは、例えばＤＶＤ又はブルーレイディスクである。また、ネットワークは、例えばインターネットである。
この構成では、ライトストラテジ情報より新しいバージョンの新ライトストラテジ情報があるかどうか光ディスク装置がサーバ装置に問い合わせる。新ライトストラテジ情報がサーバ装置にある場合、光ディスク装置はその新ライトストラテジ情報に基づいて、第１の記憶手段に記憶されているライトストラテジ情報を最新の情報に更新する。更新後、記録手段は、更新されたライトストラテジ情報に基づいて光ディスクにピックアップヘッドからレーザ光を照射し、データを該光ディスクに記録する。
以上により、光ディスク装置が販売された後に新たな光ディスクが登場しても、その新たな光ディスクに最適なライトストラテジのパラメータを用意することができる。即ち、この新たな光ディスクに最適なライトストラテジのパラメータが含まれるように、ライトストラテジを更新することができる。そのため、ライトストラテジによる記録ミスの発生を防止できる。
【００１０】
（２）前記更新手段は、前記記録手段がデータを前記光ディスクに記録する間、前記第１の記憶手段に記憶されている前記ライトストラテジ情報の更新を禁止する。
【００１１】
データの記録中にライトストラテジ情報を更新すると、レーザ照射条件が途中で変更されてしいまい、その記録が失敗してしまう。そこで、この構成においては、記録中、ライトストラテジ情報の更新を禁止している。これにより、ライトストラテジの更新による記録ミスの発生を防止できる。
【００１２】
（３）前記第１の記憶手段は、前記ライトストラテジ情報を保存するための第１の記憶領域と、前記返信手段から返信される前記新ライトストラテジ情報を保存するための第２の記憶領域と、を有し、
前記更新手段は、前記返信手段から返信された前記新ライトストラテジ情報を前記第２の記憶領域に保存し、前記第２の記憶領域に保存した前記新ライトストラテジ情報に基づいて、前記第１の記憶手段に記憶されている前記ライトストラテジ情報を最新の情報に更新する。
【００１３】
ダウンロードが失敗し、ライトストラテジ情報にエラーが発生してしまうことも想定される。そこで、この構成において、新ライトストラテジ情報を第２の記憶領域に一旦ダウンロードしてから更新している。これにより、誤ったライトストラテジで更新してしまうのを防止できる。
【００１４】
また、本発明の光ディスク装置は、前記課題を解決するために以下の構成を備えている。
【００１５】
（４）光ディスクの種類に応じた、データ記録時のレーザ光の照射条件を示すライトストラテジ情報を記憶する第１の記憶手段と、
そのライトストラテジ情報に従って該光ディスクにピックアップヘッドからレーザ光を照射し、データを該光ディスクに記録する記録手段と、を有する光ディスク装置において、
前記第１の記憶手段に記憶されている前記ライトストラテジ情報より新しいバージョンの新ライトストラテジ情報があるかどうか、ライトストラテジ情報の最新バージョンを記憶するサーバ装置にネットワークを介して問い合わせる通信手段と、
前記サーバ装置から前記新ライトストラテジ情報が返信されると、前記新ライトストラテジ情報に基づいて、前記第１の記憶手段に記憶されている前記ライトストラテジ情報を最新の情報に更新する更新手段と、を有する光ディスク装置。
【００１６】
この構成における光ディスク装置は、上記（１）の記録システムに用いられる。
これにより、上記（１）と同様の効果を奏する。
【発明の効果】
【００１７】
この発明によれば、ライトストラテジによる記録ミスの発生を防止できる。
【発明を実施するための最良の形態】
【００１８】
以下、本発明の実施形態である記録システムについて説明する。
【００１９】
図１は、本発明の実施形態である記録システムのシステム構成図である。記録システム１０１は、放送局から伝送されてきたテレビ放送信号を受信するアンテナ６と、DVD１００がセットされるＤＶＤレコーダ２と、インタフェースを介してＤＶＤレコーダ２と接続されるテレビジョン（以下、「TV」と称する）３と、ネットワーク５を介してＤＶＤレコーダ２と接続されるサーバ装置４と、を備える。
なお、ＤＶＤレコーダ２及びTV３は、各ユーザの家で使用される。サーバ装置４は、ＤＶＤレコーダ２を製造したメーカがネットワーク５上に設けたサーバである。つまり、サーバ装置４が１台に対し、ＤＶＤレコーダ２を含む複数台のＤＶＤレコーダがネットワーク５を介して接続されている。
【００２０】
DVD１００は、ＤＶＤ（Digital  Versatile  Disk）規格に準拠して製造されたＤＶＤ−RＷである。DVD１００は、ユーザが過去に購入して所持しているディスクとする。
【００２１】
ＤＶＤレコーダ２は、アンテナ６で受信されるテレビ放送信号に含まれるテレビ番組の信号（コンテンツデータ）をDVD１００に録画する。また、ＤＶＤレコーダ２は、DVD１００からコンテンツデータを読み取り、インタフェースを介してTV３に出力する。これにより、ＤＶＤレコーダ２は、DVD１００のコンテンツをTV３で再生する。
また、ネットワーク５は、例えばインターネットである。
【００２２】
図２は、記録システムに用いられるＤＶＤレコーダの主要な構成を示すブロック図である。ＤＶＤレコーダ２は、装置本体２の各部の動作を制御する制御部２１と、選択されているチャンネルで放送されるテレビ番組の放送波を受信する受信部２６と、その放送波からコンテンツデータを取り出す記録読取回路２３と、DVD１００に対しデータの記録および読取を行うピックアップヘッド２２（以下、PUヘッド２２と称する。）と、音声データをアナログの再生音声信号に変換する音声処理部２４と、画像データをアナログの再生画像信号に変換する画像出力部２５と、を備えている。さらに、ＤＶＤレコーダ２は、ユーザの操作を受け付ける操作部２７と、装置本体２を遠隔操作するリモコン２７Aと、情報を表示する表示部２８と、ライトストラテジ情報を記憶する記憶部２９と、ルータ（不図示）を介してネットワーク５に接続されているＮＩＣ（Network Interface Card）２０と、を備えている。
【００２３】
なお、ＰＵヘッド２２、記録読取回路２３が、本発明の「記録手段」に相当する。また、制御部２１及びＮＩＣ２０が、本発明の「通信手段」に相当する。また、制御部２１が、本発明の「更新手段」に相当する。また、記憶部２９が、本発明の「第１の記憶手段」に相当する。
【００２４】
記憶部２９は、例えばＥＥＰＲＯＭで構成されている。記憶部２９は、装置本体２の各部の制御方法が記述された制御プログラム１２９Ａと、光ディスクの種類に応じた、データ記録時のレーザ光の照射条件を示すライトストラテジ情報１２９Ｂと、を記憶する（後述の図６参照）。このライトストラテジ情報１２９Ｂは、光ディスクの種類と、データ記録時のレーザ光の照射条件と、が対応付けられたテーブルである。照射条件とは、例えば記録パワーのレーザ光の強度、又はレーザビームをオン／オフするタイミングである。ここで、ライトストラテジ情報の詳細については、後述する。
なお、記憶部２９は、その他の情報として、操作部２７で録画予約された録画予約情報と、サーバ装置４のURLと、を記憶する。この録画予約情報は、録画開始時刻、録画終了時刻、録画するチャンネル番号などを含む情報である。また、このURLは、ネットワーク５上のアドレスを示す情報である。
【００２５】
制御部２１は、例えばマイクロコンピュータで構成される。また、制御部２１は、上記の制御プログラムなどを展開するワークフィールドとしてのＲＡＭ２１Ａと、現在時刻の計時を行うタイマー回路２１Ｂと、を内蔵する。制御部２１は、ＤＶＤレコーダ２にユーザから入力された命令に応じてＤＶＤレコーダ２の各部の動作を制御する。
【００２６】
PUヘッド２２は、図示しないレーザダイオード（ＬＤ）、コリメータレンズ、ビームスプリッタ、対物レンズ、フォトディテクタ、スレッドモータ、及びアクチュエータを有している。
【００２７】
まず、録画を行う部分の構成について詳述する。
受信部２６は、例えばディジタルチューナで構成される。受信部２６は、制御部２１の指示に基づいて、アンテナ６で受信されるテレビ放送信号から、選択されているチャンネルで放送されるテレビ放送信号を受信（抽出）する。さらに、受信部２６は、そのテレビ放送信号を、ディジタルデータであるトランスポートストリームに復調し、記録読取回路２３に出力する。このトランスポートストリームには、テレビ番組を示すコンテンツデータが記述されたパケット群、全チャンネルのテレビ番組の放送予定を示すＥＰＧデータが記述されたパケット群、等が含まれる。ここで、コンテンツデータは、例えばＭＰＥＧでエンコードされている。
【００２８】
記録読取回路２３は、複数パケットを蓄積するためのバッファメモリ（不図示）と、記憶部２９に記憶されているＤＶＤ１００のライトストラテジ情報１２９Ｂ（後述の図６参照）に基づいてレーザ光の制御を行うライトストラテジ回路２３ＡＡと、を内蔵する。記録読取回路２３は、入力されたトランスポートストリームから、コンテンツデータを取り出し、ＥＦＭする。そして、記録読取回路２３は、そのディジタル信号をライトストラテジ回路２３Ａを介してＰＵヘッド２２に出力する。また、記録読取回路２３は、入力されたトランスポートストリームから、ＥＰＧデータを取り出し、制御部２１に出力する。このＥＰＧデータは、制御部２１によって記憶部２９に記録される。
【００２９】
ＰＵヘッド２２は、記録読取回路２３からディジタル信号が入力されると、このディジタル信号に応じて記録パワーのレーザ光を調整し、光ディスク１００の記録面に照射する。これにより、ＤＶＤレコーダ２は、テレビ番組を光ディスク１００に録画する。
【００３０】
ここで、図３を用いて上述のライトストラテジについて詳述する。図３は、照射されるレーザビームと光ディスクに形成されるピットとの関係を示す概念図である。まず、光ディスクでは、データはＥＦＭ（8to 14 Modulation）されて記録される。ＥＦＭは、８ビットのデータを１４ビットに変換するものであり、ＥＦＭ信号は、「３Ｔ」から「１１Ｔ」までの物理的な長さのスペースから成り立っている。したがって、ＥＦＭで変調されたデータを記録する場合には、エッジ部分を正確に記録することが重要である。
このようなＥＦＭ信号を光ディスクに記録する場合、単純にＥＦＭ信号でレーザビームをオン／オフさせてデータをディスクに記録すると、レーザビームをオンした直後では、昇温が不十分なため、ピットが形成されず、また、レーザビームをオフさせた直後では、十分に冷却されていないため、ピットが続いて形成されてしまい、ピットのエッジが正確に記録されない。
【００３１】
そこで、レーザビームを駆動する際に、ＥＦＭ信号の立ち上がりで、パルスを大きくして十分に昇温し、ＥＦＭ信号の立ち下がりの前に、レーザビームを止めて、ピットが続いてしまうことがないようにしている（図３参照）。これにより、図３（Ａ）に示すように適正にピットが形成される。このように、データの書き込み時や書き換え時のレーザビームの制御が、ライトストラテジと呼ばれている。
【００３２】
図２に戻り、再生を行う部分の構成について詳述する。
PUヘッド２２は、DVD１００に対してレーザ光を照射し、DVD１００からの反射光をフォトディテクタで検出する。これにより、PUヘッド２２は、DVD１００に記録されているデータを光学的に読み出す。
【００３３】
記録読取回路２３は、PUヘッド２２における複数の受光素子の出力に基づいてＲＦ信号を生成し、該ＲＦ信号を増幅する。そして、記録読取回路２３は、該ＲＦ信号を処理して画像と音声のデータを取り出す。ここで、取り出される画像と音声のデータは、バッファメモリに一時的に格納される。そして、記録読取回路２３は、これらのデータをバッファメモリから順次読み出し、例えばＭＰＥＧでデコードする。そして、記録読取回路２３は、音声データを音声処理部２４に、画像データを画像出力部２５に、これらのデータの同期を取りながら、それぞれ出力する。
【００３４】
音声処理部２４は、音声データをアナログの再生音声信号に変換し、その再生音声信号を外部のＴＶ３に出力する。画像出力部２５は、記録読取回路２３から出力された画像データをアナログの再生画像信号に変換し、外部のＴＶ３に出力する。
音声処理部２４及び画像出力部２５には、インタフェースを介してＴＶ３が接続される。ＴＶ３は、ＤＶＤレコーダ２から出力された信号を処理して、画像を画面上に表示したり音声を出力したりする。
ユーザは、このＴＶ３において、音声処理部２４及び画像出力部２５から出力された再生画像信号に基づく画像、及び再生音声信号に基づく音声を視聴することができる。これにより、ユーザは、ＤＶＤ１００に録画されているコンテンツを視聴する。
【００３５】
操作部２７は、ユーザがＤＶＤレコーダ２に対して各種の命令（コマンド）を入力するためのものである。操作部２７には、ユーザの操作を受け付ける複数のキーが設けられている。ＤＶＤレコーダ２に対してユーザが入力したコマンドは制御部２１に伝送される。
複数のキーの中には、DVD１００の再生を指示するための再生キー、テレビ番組をDVD１００に録画するための録画キーが含まれる。
操作部２７には、リモコン信号検出部（不図示）が設けられている。リモコン信号検出部に対し、装置本体の外部からリモコン２７Aを用いて、電源のON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００３６】
表示部２８は、現在時刻、ＤＶＤレコーダ２の設定状態、所定のメッセージなどを表示する。
【００３７】
図４は、記録システムに用いられるサーバ装置の主要な構成を示すブロック図である。サーバ装置４は、ルータ（不図示）を介してネットワーク５と接続されているNIC（Network Interface Card）４０と、サーバ装置４の各部の動作を制御する制御部４１と、サーバ装置４の各部の制御方法が記述された制御プログラムと最新バージョンのライトストラテジ４２Ａを記憶するハードディスク４２と、最新バージョンのライトストラテジ４２Ａを入力するためのデータ入力部４３と、を備える。
なお、制御部４１が、本発明の「返信手段」に相当する。また、ハードディスク４２が、本発明の「第２の記憶手段」に相当する。
【００３８】
制御部４１は、例えばMPUである。さらに、制御部４１は、上記制御プログラムを展開するためのワークフィールドとしてのRAM（不図示）を内臓する。
【００３９】
データ入力部４３は、例えばＳＤカード差込口で構成される。
【００４０】
サーバ装置４は、ＤＶＤレコーダ２を製造したメーカがネットワーク５上に設けたサーバである。同メーカのサーバ管理者は、最新バージョンのライトストラテジ４２Ａをデータ入力部４３から入力する。すると、制御部４１が、ライトストラテジ４２Ａをハードディスク４２に保存する。
【００４１】
図５は、記録システムに用いられるＤＶＤレコーダの制御部が行う動作を示すフローチャートである。図６は、記録システムに用いられるＤＶＤレコーダの記憶部の記憶内容とその記憶内容の更新手順とを示す図である。図５に示す動作は、電源オン時、電源オフ時、所定時刻などの所定のタイミングで開始する動作である。
【００４２】
まず、制御部２１は、記憶部２９に記憶されているライトストラテジ情報１２９Ｂより新しいバージョンの新ライトストラテジ情報があるかどうか、ＮＩＣ２０からネットワーク５を介してサーバ装置４に問い合わせる（Ｓ１）。この問い合わせは、ライトストラテジ情報１２９Ｂのバージョン情報を送信することにより行われる。サーバ装置４は、問い合わせがあると、ライトストラテジ情報１２９Ｂより新しいバージョンのライトストラテジ情報があるかどうかハードディスク４２を確認する。この確認は、バージョンを比較することにより行われる。そして、サーバ装置４は、新ライトストラテジ情報４２Ａがある場合、その新ライトストラテジ情報４２Ａを、ＮＩＣ４０からネットワーク５を介してＤＶＤレコーダ２に返信する。逆に、ライトストラテジ情報１２９Ｂより新しいバージョンのライトストラテジ情報がない場合、サーバ装置４は、その旨をＮＩＣ４０からネットワーク５を介してＤＶＤレコーダ２に返信する。
【００４３】
ライトストラテジ情報１２９Ｂより新しいバージョンのライトストラテジ情報がない旨の問い合わせ結果がサーバ装置４から返信されると（Ｓ２）、制御部２１は、本処理を終了する。
【００４４】
一方、ライトストラテジ情報１２９Ｂより新しいバージョンのライトストラテジ情報がある旨の問い合わせ結果がサーバ装置４から返信されると（Ｓ２）、制御部２１は、新ライトストラテジ情報４２Ａをサーバ装置４から記憶部２９の記憶領域２９Ｂにダウンロードする（Ｓ３）。ここで、制御部２１は、ダウンロードが完了した時、ダウンロードした新ライトストラテジ情報４２Ａにエラーが含まれているかどうか確認する。この確認は、例えば、ダウンロードした新ライトストラテジ情報４２Ａのデータ量と、データ量と、が一致するかどうかを確かめることにより行われる。ダウンロードした新ライトストラテジ情報４２Ａにエラーが含まれていれば、制御部２１は、もう一度Ｓ３の処理を実行する。ダウンロードした新ライトストラテジ情報４２Ａにエラーが含まれていなければ、制御部２１は、Ｓ４に進む。
【００４５】
そして、ダウンロード完了後、制御部２１は、新ライトストラテジ情報４２Ａに基づいて、ライトストラテジ情報１２９Ｂを最新の情報に更新する（Ｓ４）。そして、制御部２１は、本処理を終了する。更新後、ＤＶＤレコーダ２は、更新されたライトストラテジ情報に基づいて光ディスク１００にピックアップヘッド２からレーザ光を照射し、データを該光ディスク１００に記録する。
【００４６】
以上により、ＤＶＤレコーダ２が販売された後に新たな光ディスクが登場しても、その新たな光ディスクに最適なライトストラテジのパラメータを用意することができる。即ち、この新たな光ディスクに最適なライトストラテジのパラメータが含まれるように、ライトストラテジを更新することができる。そのため、ライトストラテジによる記録ミスの発生を防止できる。
また、ダウンロードが失敗し、ライトストラテジ情報４２Ａにエラーが発生してしまうことも想定される。そこで、Ｓ３において新ライトストラテジ４２Ａを記憶領域２９Ｂに一旦ダウンロードしてからＳ４で更新している。これにより、誤ったライトストラテジ４２Ａで更新してしまうのを防止できる。
【００４７】
また、本発明の実施形態は、以下の変形例を採用することができる。
【００４８】
図７は、本発明の実施形態の変形例である記録システムに用いられるＤＶＤレコーダの制御部が行う動作を示すフローチャートである。この動作は、Ｓ３とＳ４の間にＳ１１〜Ｓ１４を追加した動作であり、その他の処理については同じである。
【００４９】
Ｓ３の後、制御部２１は、現在録画中であるかどうか判定する（Ｓ１１）。
【００５０】
現在録画中である場合、制御部２１は、ＰＵヘッド２２がデータを光ディスク１００に記録する間、記憶部２９に記憶されているライトストラテジ情報１２９Ｂの更新を禁止する（Ｓ１４）。
【００５１】
録画が終了した後（Ｓ１４）、制御部２１は、記憶領域２９Ｂに保存されている新ライトストラテジ情報４２Ａに基づいて、記憶領域２９Ａに保存されているライトストラテジ情報１２９Ｂを最新の情報に更新する（Ｓ４）。ここで、Ｓ１４を設けた理由は、録画中にライトストラテジ情報１２９Ｂを更新すると、レーザ照射条件が途中で変更されてしいまい、その録画が失敗してしまうためである。これにより、ライトストラテジの更新による記録ミスの発生を防止できる。また、Ｓ３において新ライトストラテジ４２Ａを記憶領域２９Ｂに一旦ダウンロードしてからＳ４で更新する手順により、録画中、新ライトストラテジ情報４２Ａを置いておくことができる。
【００５２】
一方、現在録画中でない場合、制御部２１は、録画予約があるかどうか記憶部２９の録画予約情報に基づいて判定する（Ｓ１２）。録画予約がなければ、制御部２１は、Ｓ４に進む。逆に、録画予約があれば、制御部２１は、録画が開始されるまでに所定時間があるかどうか、タイマー回路２１Ｂと録画予約情報の録画開始時刻とを比較して判定する（Ｓ１３）。所定時間は、Ｓ４の更新に要する時間の観点から定める。所定時間は、例えば１分である。まもなく録画が開始されるのであれば、制御部２１は、Ｓ１４に進む。一方、録画が開始されるまでに時間があるのであれば、制御部２１は、Ｓ４に進む。
【図面の簡単な説明】
【００５３】
【図１】本発明の実施形態である記録システムのシステム構成図
【図２】記録システムに用いられるＤＶＤレコーダの主要な構成を示すブロック図
【図３】照射されるレーザビームと光ディスクに形成されるピットとの関係を示す概念図
【図４】記録システムに用いられるサーバ装置の主要な構成を示すブロック図
【図５】記録システムに用いられるＤＶＤレコーダの制御部が行う動作を示すフローチャート
【図６】記録システムに用いられるＤＶＤレコーダの記憶部の記憶内容とその記憶内容の更新手順とを示す図
【図７】本発明の実施形態の変形例である記録システムに用いられるＤＶＤレコーダの制御部が行う動作を示すフローチャート
【符号の説明】
【００５４】
２−ＤＶＤレコーダ
３−ＴＶ
４−サーバ装置
５−ネットワーク
６−アンテナ
２０−ＮＩＣ
２１−制御部
２１Ａ−ＲＡＭ
２１Ｂ−タイマー回路
２２−ピックアップヘッド
２３−記録読取回路
２３Ａ−ライトストラテジ回路
２４−音声処理部
２５−画像出力部
２６−受信部
２７−操作部
２７A−リモコン
２８−表示部
２９−記憶部
２９Ａ−記憶領域
２９Ｂ−記憶領域
４０−ＮＩＣ
４１−制御部
４２−ハードディスク
４２Ａ−新ライトストラテジ情報
４３−データ入力部
１００−光ディスク
１２９Ａ−制御プログラム
１２９Ｂ−ライトストラテジ情報
【図１】
2009223988.tif 000003
【図２】
2009223988.tif 000004
【図３】
2009223988.tif 000005
【図４】
2009223988.tif 000006
【図５】
2009223988.tif 000007
【図６】
2009223988.tif 000008
【図７】
2009223988.tif 000009